Podtech/llm-jp-corpus-v4-ja_patent huggingface dataset:
(57)【要約】【課題】  喫煙の習慣性に対して、煙草ではなく、純粋な酸素等を吸引することにより、喫煙者が、喫煙の錯覚と障害から免れ、正常な状態を取り戻すことができるよう、禁煙を補助する為に、喫煙の代替として、随時、又、簡易に使用することができる酸素等吸引器の提供が望まれる。しかし、従来の酸素等吸引器は、いずれもボンベ状の比較的に大型で、又、チューブやマスク等を用いて吸引する形状のもので、持ち運びや吸引方法が面倒であり、禁煙を補助する為に、喫煙の代替として、随時、又、簡易に使用することができない。【解決手段】  外形が紙巻たばこ型の酸素等吸引器本体１に、開閉弁２及び開閉突起３を備えた先端部（噴射口）４を装着し、酸素等吸引器本体１の内部に注入した酸素等を、先端部（噴射口）４の操作による開閉突起３及び開閉弁２の一連の作用により、先端部（噴射口）４から噴射させ、先端部（噴射口）４を口に銜えて酸素等を吸引する形状にする。【選択図】図１
2008061990.tif 000002
【特許請求の範囲】
【請求項１】
容器の外形が紙巻たばこ型で、その内部に注入した酸素等をその先端部の開閉式による噴射口から噴射させ、その先端部（噴射口）を口に銜えて酸素等を吸引する形状であることを特徴とする酸素等吸引器。
【発明の詳細な説明】
【技術分野】
【０００１】  この発明は、禁煙を補助する為の、酸素等の吸引に用いる酸素等吸引器の形状に関する。
【背景技術】
【０００２】  従来の酸素等の吸引に用いる酸素等吸引器の形状は、一般に酸素吸入器と呼ばれるものなど、いずれもボンベ状の比較的に大型で、又、チューブやマスク等を用いて吸引する形状である。
【発明の開示】
【発明が解決しようとする課題】
【０００３】  しかしながら、以上の技術によれば、器具の持ち運びや吸引方法が面倒であり、禁煙を補助する為に、喫煙の代替として、随時、又、簡易に使用することができない。
そこで、この発明は、持ち運びや吸引に便利で、禁煙を補助する為に、喫煙の代替として、随時、又、簡易に使用することができる酸素等吸引器を提供することを課題とする。
【課題を解決するための手段】
【０００４】  以上の課題を解決するために、この発明は、容器の外形が紙巻たばこ型で、その内部に注入した酸素等をその先端部の開閉式による噴射口から噴射させ、その先端部（噴射口）を口に銜えて酸素等を吸引する形状であることを特徴とする酸素等吸引器である。
【発明の効果】
【０００５】  この発明によれば、酸素等吸引器は、容器の外形が紙巻たばこ型で、その内部に注入した酸素等をその先端部の開閉式による噴射口から噴射させ、その先端部（噴射口）を口に銜えて酸素等を吸引する形状なので、持ち運びや吸引に便利であり、禁煙を補助する為に、喫煙の代替として、随時、又、簡易に使用することができる。
【発明を実施するための最良の形態】
【０００６】  この発明の一実施形態を図１に示す。
外形が紙巻たばこ型の酸素等吸引器本体１に、開閉弁２及び開閉突起３を備えた先端部（噴射口）４が装着されている。酸素等吸引器本体１の内部は空洞状になっており、先端部（噴射口）４の装着部の右方内部には開閉突起３が移動するための溝が螺旋状に掘られている。先端部（噴射口）４は縦中央に穴が通っており、開閉弁２の右方から横へ抜けている。開閉弁２は、スプリング５により閉ざされ、又、先端部（噴射口）４の回転操作による開閉突起３の作用により開閉するようになっている。【０００７】「実施形態の効果」
この実施形態によれば、外形が紙巻たばこ型の酸素等吸引器本体１の内部に注入した酸素等を、先端部（噴射口）４の操作による開閉突起３及び開閉弁２の一連の作用により、先端部（噴射口）４から噴射させ、先端部（噴射口）４を口に銜えて酸素等を吸引する形状なので、持ち運びや吸引に便利であり、禁煙を補助する為に、喫煙の代替として、随時、又、簡易に使用することができる。【０００８】「他の実施形態」
図１の実施形態では、酸素等吸引器本体１及び先端部４は紙巻たばこ型であったが、他の実施形態では、酸素等吸引器の本体及び先端部は喫煙パイプ型のものでも良い。
【図面の簡単な説明】
【０００９】
【図１】この発明の一実施形態を示す断面図１である。
【図２】この発明の一実施形態を示す斜視図１である。
【図３】この発明の一実施形態を示す断面図２である。
【図４】この発明の一実施形態を示す斜視図２である。
【符号の説明】
【００１０】    １  酸素等吸引器本体              ２  開閉弁
３  開閉突起                      ４  先端部（噴射口）
５  スプリング
【図１】
2008061990.tif 000003
【図２】
2008061990.tif 000004
【図３】
2008061990.tif 000005
【図４】
2008061990.tif 000006
(57)【要約】【課題】  現代の日本の実情は、世界の長寿国といわれるようになった反面、大家族から核家族になり、老人だけで生活をしている家庭が多くなりそれに伴い、食生活も簡単便利で味が良いものが好まれる。おかずの完成品や半完成製品をビニール袋に入れて温水などで温める方法が多くなってきたが、電気給湯ポットジャーや、炊飯器などにおかずをビニール袋に入れて直接ほうり込んでいるのが現状である。【解決手段】  炊飯器で米を炊くときに、袋に入れたおかずを蒸し網に乗せておけばご飯が炊き上がると同時におかずも美味しく出来上がり、手間隙が省けて、老人社会に貢献できる。【選択図】  図１
2008061905.tif 000002
【特許請求の範囲】
【請求項１】
ガス炊飯器、電気炊飯器等における炊飯釜内に、蒸し網を備えることを特徴とする炊飯器。
【請求項２】
蒸し網が落下しないように、炊飯釜の内側に突起状のものを付けたことを特徴とする請求項１記載の炊飯器、
【請求項３】
既存の炊飯釜にも使用できるように、足つきであって、かつ、足の長さ調整、足幅調整可能なことを特徴とする炊飯器用蒸し網。
【発明の詳細な説明】
【技術分野】
【０００１】
本発明は、炊飯釜の内部に米が炊ける部分よりも上部に蒸し網を設けて、炊飯と同時におかずなどの食材を温めることのできる技術に関するものである。
【背景技術】
【０００２】
現在各家庭の大部分は米を炊くのに炊飯器（特許文献１等）が普及しているが、米だけを炊いているのが大半である。
【特許文献１】特開２００６−２３０４３５号公報
【発明の開示】
【発明が解決しようとする課題】
【０００３】
一方、現代の日本の実情は、世界の長寿国といわれるようになった反面、大家族から核家族になり、老人だけで生活をしている家庭が多くなりそれに伴い、食生活も簡単便利で味が良いものが好まれる。
そのため、おかずの完成品や半完成製品をビニール袋に入れて温水などで温める方法が多くなってきたが、電気給湯ポットジャーや、炊飯器などにおかずをビニール袋に入れて直接ほうり込んでいる場合もある。
【課題を解決するための手段】
【０００４】
本願発明は、炊飯器の炊飯釜の内部に蒸し網を設け、その蒸し網の上でおかずなどの食材を温めることを要旨とするものである。
【発明の効果】
【０００５】
現代の日本の現状は長寿国になり、老人が多くなってきたが大家族では無くなり、核家族のため老人が自分で食事を作ることが多くなり食生活も手間のかからない方法を必要とする時代になった。
しかし、美味しいものを簡単に作ることが望まれている。米を炊飯器で炊く時に発生する蒸気を利用して、蒸し網に乗せたビニール袋に入れたおかずもじっくりと温めるために味も美味しくなり、調理する手間も余分なエネルギーも必要ないし、後片付けも釜を洗うだけで簡単である。また、おかずを入れたビニール袋が直接お米に接触しないので、衛生的でもある。
【発明を実施するための最良の形態】
【０００６】
図１は、炊飯器の炊飯釜ｊの断面図であって、米ｈを炊くための米ｈの状態、水ｇの位置、蒸し網ｆ、突起ｅ、蒸し網ｆに乗せたおかず入りのビニール袋ｉを表現したものである。すなわち、炊飯器でご飯を炊く時におかずも同時に温まるように、炊飯釜ｊの上部に蒸し網ｆを付け、網の上に暖めたい物をビニールの袋などに入れてスイッチを入れれば、余熱利用で簡単調理できる点に特徴がある。
【０００７】
図２〜図５は、蒸し網ｆの取付構造を説明するためのものであり、図示するように、炊飯釜ｊの内側に同じ高さの突起ｅを４箇所設け、この突起ｅの上に蒸し網ｆを載置する構造である。このような構造であれば、蒸し網ｆは取り外し可能であるので、炊飯釜の内部にあって米を炊く時、また釜を洗う時にも邪魔にならない。
【０００８】
図６〜図８は、既存の炊飯釜に蒸し網を取り付けられるようにするための、炊飯器用蒸し網を示したものである。図示するように、蒸し網（あ）と蒸し網の足（え）との間には
略Ｌ字形の調整部材（い）を介在させている。この調整部材（い）は、蒸し網（あ）と蒸し網の足（え）のそれぞれに長孔を介してボルト及び蝶々ナットで締結されている。従って、蒸し網の足（え）の幅を自由に調整することが可能であり、種々の形状の炊飯釜に対応して安定した足場を形成できる。また、蒸し網（あ）の高さを自由に調整することも可能であり、炊飯する米や水の量に対応した位置を形成できる。
【０００９】
以上のように、炊飯器メーカーが新規に制作する時に、蒸し網と落下防止の突起を用意すれば良いし、既存の炊飯器には足つきの蒸し網（炊飯器用蒸し網）を利用するようにしたい。
【産業上の利用可能性】
【００１０】
各家庭の現状は、米を炊くときに使用する道具は竃では無く、ガス炊飯器、電気炊飯器などが多く使われているが各メーカーが蒸し網を取り付けられるように製作するだけでユーザーは便利に使用できる。
【図面の簡単な説明】
【００１１】
【図１】炊飯器の炊飯釜の縦断面図（米、水、蒸し網、突起、おかずを入れたビニール袋を含む）。
【図２】炊飯器の炊飯釜の平面図。
【図３】Ａ−Ｃ断面図。
【図４】Ｂ−Ｄ断面図。
【図５】Ｂ−Ｄ断面図（蒸し網を含む）。
【図６】炊飯器用蒸し網の正面図。
【図７】炊飯器用蒸し網の底面図（蒸し網の足を省略）。
【図８】炊飯器用蒸し網の平面図（蒸し網の足を省略）。
【符号の説明】
【００１２】
Ａ        釜を平面で見て、方向を表す。
Ｂ        釜を平面で見て、方向を表す。
Ｃ        釜を平面で見て、方向を表す。
Ｄ        釜を平面で見て、方向を表す。
ｅ        突起
ｆ        蒸し網
ｇ        水
ｈ        米
ｉ        おかずの入ったビニール袋
ｊ        炊飯器の釜
あ        蒸し網
い        蒸し網の幅を大きく広げる場合のスライド可能な調整部材
う        ボルトおよび蝶々ナット
え        蒸し網の足（高さ調整可能）
【図１】
2008061905.tif 000003
【図２】
2008061905.tif 000004
【図３】
2008061905.tif 000005
【図４】
2008061905.tif 000006
【図５】
2008061905.tif 000007
【図６】
2008061905.tif 000008
【図７】
2008061905.tif 000009
【図８】
2008061905.tif 000010
(57)【要約】【課題】  本発明は、不透明な素材でできたコーヒードリッパーを使用した場合に、コーヒーサーバー（及びコーヒーカップなどの容器を含む）に落ちたコーヒーの量を確認し、お湯の量を調節できる事を目的とする。【解決手段】コーヒードリッパーの下部（コーヒーサーバーやカップに接触する面）に凹型の切り込みをいれた事を特徴とする。【選択図】図１
2008061991.tif 000002
【特許請求の範囲】
【請求項１】
コーヒードリッパー（１）の下部（容器接触部）に凹形状（２）の切り込みをいれた事を特徴とする。
【発明の詳細な説明】
【技術分野】
【０００１】  本発明は、コーヒードリッパーの形状に関するものである。
【背景技術】
【０００２】  従来のコーヒードリッパーは、コーヒードリッパーもしくは、それを受けるコーヒーサーバーのいずれかがガラスなどの透明性のあるものでなければ、抽出されているコーヒーの量が分からなかった。そのため、お湯をドリッパーに注ぎながら、コーヒードリッパーを時々持ち上げ、抽出されたコーヒーの量を確かめる必要があった。
【発明の開示】
【発明が解決しようとする課題】
【０００３】  陶器、金属など不透明な素材を使用したコーヒードリッパーは多い。しかし、その多くは、コーヒーサーバー（コーヒーカップなどの容器を含む）部分との接触部分が円形をしており、コーヒーサーバーの上に載せた状態では中身をのぞくことができない。【０００４】  本発明は、このような課題に鑑みてなされたものである。
コーヒーサーバーとの接触部分に凹型の切れ込みを入れることにより、お湯を注いでいる間に、どの程度コーヒーが抽出されたか中身をのぞいて確認する事を目的とする。【０００５】また、凹型の切れ込みから、砂糖やミルクを注ぐことも可能で、コーヒーを抽出している待ち時間を無駄にしない。
【課題を解決するための手段】
【０００６】  上記課題を解決するために、コーヒードリッパーの下部（コーヒーサーバーやカップに接触する面）に凹型の切り込みをいれる。
【発明の効果】
【０００７】コーヒードリッパーの素材を選ばない。ドリッパーとの接触部分に凹型の切り込みを入れるという容易な作業のため、手作りの陶器、木製品に対しても簡単にこの発明を実施できる。
【発明を実施するための最良の形態】
【０００８】  切込みの凹は、なだらかな三日月型とする。切り込みのカットが大きすぎるとコーヒードリッパーの安定性が悪くなる。また、小さすぎても中身をのぞきにくい。そのため、円周部分を比較的広くとり、凹の深さは浅くする。また、切り込みの部分が鋭利にならないようなカットとする。【０００９】  なお、本発明は上述の発明を実施するための最良の形態に限らず本発明の要旨を逸脱することなくその他種々の構成を採り得ることはもちろんである。
【図面の簡単な説明】
【００１０】
【図１】本発明の実施の形態を示す図である。
【図２】従来のコーヒードリッパーの斜視図である。
【符号の説明】
【００１１】１コーヒードリッパー本体
２凹部
【図１】
2008061991.tif 000003
【図２】
2008061991.tif 000004
(57)【要約】【課題】本発明は履物におけるサンダル兼用靴を得るにある。【解決手段】  履物の後部立ち上り部２を履物本体から分離し、該後部立ち上り部２と履物本体の左右二ヵ所に回転自在具３を装着し二点支持により一体化して靴として使用するもので、該回転自在具３を中心軸にして後部立ち上り部２を回転して足の甲側に載せた状態にして使用する時はサンダルとしても用いる事が出来るサンダル兼用靴を構成している。【選択図】図１
2008061994.tif 000002
【特許請求の範囲】
【請求項１】
履物の後部立ち上り部（２）を履物本体から分離し、該後部立ち上り部（２）と履物本体の左右二ヵ所に回転自在具（３）を装着し二点支持により一体化して靴として使用するもので、該回転自在具（３）を中心軸にして後部立ち上り部（２）を回転して足の甲側に載せた状態にして使用する時はサンダルとして用いる事が出来るサンダル兼用靴。
【請求項２】
分離した履物本体と後部立ち上り部（２）の踵部下端に脱着式止め具（４）を装着し靴として着用時に踵部が分離しないものとした請求項１のサンダル兼用靴。
【発明の詳細な説明】
【技術分野】
【０００１】本発明はサンダル兼用靴に関する。（言葉の定義：サンダルとは後部立ち上り部の無い履物で靴とは後部立ち上り部の有る履物を指す。）
【背景技術】
【０００２】従来技術として発明の名称：（かかと部開放可能な靴）があるが、これは靴本体とかかと部を分離し脱着可能としサンダルとして使用する時にはかかと部を足の甲部に保管しておき紛失を防ぐものとした靴だが、難点としてサンダル用と靴用に変えるのに手間が掛るので実用的ではない。又、脱着するたびに靴のサイズが変わりその調整にも手間が掛る。
【特許文献】特許公開２００５−２９６３２７
【発明の開示】
【発明が解決しようとする課題】
【０００３】本発明は以上のような従来の欠点に鑑み、履物一足でサンダルと靴がワンタッチで変えられる履物を提供することを目的としている。【０００４】本発明の前記ならびにその他の目的と新規な特徴は次の説明を添付図面と照らし合わせて読むと、より完全に明らかになるであろう。ただし、図面はもっぱら解説のためのものであって、本発明の記述的範囲を限定するものではない。
【課題を解決するための手段】
【０００５】上記目的を達成するために本発明は、履物の後部立ち上り部（２）を履物本体から分離し、該後部立ち上り部（２）と履物本体の左右二ヵ所に回転自在具（３）を装着し二点支持により一体化して靴として使用するもので、該回転自在具（３）を中心軸にして後部立ち上り部（２）を回転して足の甲側に載せた状態にして使用する時はサンダルとして用いる事が出来るサンダル兼用靴を構成している。【０００６】分離した履物本体と後部立ち上り部（２）の踵部下端に脱着式止め具（４）を装着し靴として着用時に踵部が分離しないものとした上記（０００５）のサンダル兼用靴を構成している。
【発明の効果】
【０００７】  以上の説明から明らかなように、本発明にあっては次に列挙する効果が得られる。
（１）請求項１と２の構成により一足の履物で靴とサンダルにワンタッチで出来るので生活上において自在に変えることが出来る。【０００８】（２）請求項２の構成により踵部下端に脱着式止め具を装着することにより歩行中に後部立ち上り部は分離することがないので従来の靴と外観上は変わらない。
【発明を実施するための最良の形態】
【０００９】以下、図面に示す発明を実施するための最良の形態により本発明を詳細に説明する。
１はサンダル兼用靴でスリッパやゴム草履にも応用される。２は後部立ち上り部で回転自在具で支持される。３は回転自在具で後部立ち上り部と靴本体を接合すると同時に回転可動される。４は脱着式止め具でキャッチ式受け具や面ファスナーや磁石等がある。
【産業上の利用可能性】
【００１０】  本発明はサンダル兼用靴を製造する産業で利用される。
【図面の簡単な説明】
【００１１】
【図１】本発明を実施するための最良の第１の形態の靴のサンダル兼用靴図。
【図２】本発明を実施するための最良の第１の形態のサンダルのサンダル兼用靴図。
【図３】本発明を実施するための第２の形態の脱着式止め具付きの靴のサンダル兼用靴図。
【符号の説明】
【００１２】１：サンダル兼用靴、  ２：後部立ち上り部、  ３：回転自在具、  ４：脱着式止め具。
【図１】
2008061994.tif 000003
【図２】
2008061994.tif 000004
【図３】
2008061994.tif 000005
(57)【要約】【課題】  ゲーム機を簡単に収納しなおかつゲームの面白さを損なわない対戦ゲーム機を提供する。【解決手段】  ゲーム機の裏面を写真立てとし飾って収納することができるようにした。また、スライド板１を４種類に分類し、順番がわかるように駒８と共に記号を振った。【選択図】図３
2008061999.tif 000002
【特許請求の範囲】
【請求項１】
（イ）ゲーム機本体に２４枚のスライド板１と１枚の抜板２を敷き詰め、駒８を４個使用する。
（ロ）スライド板１を４種類（６枚づつ）に分類し、数字またはＡＢＣ……等の記号を振り順番を明確にする。また、駒８にも同様に順番を示し、スライド板１の上を移動条件（ルール）に従って移動するゲーム機。
【請求項２】
ゲーム機の裏面またはフタ部分を写真立てにしたゲーム機。
【発明の詳細な説明】
【技術分野】
【０００１】本発明は写真立てとゲーム機を合体させ、ゲーム機として使用しないときには写真立てとして飾っておけるようにしたスライド型対戦ゲーム機である。
【背景技術】
【０００２】従来は写真立てと合体したゲーム機はなかった。【０００３】スライド板１を２４枚と抜き板２が１枚からなるコンパクトな数のスライド型対戦ゲーム機（盤上に敷かれたスライド板１の上を駒８が移動する）はなかった。【０００４】
【特許文献１】特許公開２００５−２８０８７
【発明の開示】
【発明が解決しようとする課題】
【０００５】従来は、写真立ては写真立て、ゲーム機はゲーム機という独立した存在であり、ゲーム機を飾るという概念はなかった。そのためゲームをしたい時には机の中や棚、部屋の隅に無造作におかれたゲーム機を引っぱり出したり置き忘れ等で探し回るなどの面倒があった。また、従来のスライド型対戦ゲーム機は、スライドする板が多くゲームに使用する部品（カード・駒）も多く、ゲームそのものの展開に時間がかかっていた。この課題をコンパクトに、また、ゲームの面白さを損なわないで解決するためになされたものである。
【課題を解決するための手段】
【０００６】ゲーム機の裏面またはフタ上部に写真を入れるスペースを設け、写真立てとしても使えるようにした。また、スライドできる板を従来のものより大幅に減らし、カード等の変わりに駒８に番号を振ることで用具を少なくしコンパクトにした。さらに、スライド板１を４種類に分けることで２人から４人まで遊べるようにした。
【発明の効果】
【０００７】写真立てを併せ持つことでインテリア用品としての機能を持ち、すぐに取り出せるなど収納が楽になった。また、スライド板１を４種類に分け駒８に順番を振ることで、コンパクトな構成ながら４人まで遊べる。
【実施例１】
【０００８】額縁３に底板５を付けプラスチック板６をそれぞれ、正面と背面に可動式に取り付ける。正面にはプラスチック板６と抜き板２の間にスライド板１と抜き板２を敷き詰め、背面にはプラスチック板６と底板５の間に写真スペース４を設ける。
【実施例２】
【０００９】ゲームを進行するには４種類のスライド板１のそれぞれの１番目の板をゲーム機上の４隅に配置し、抜き板２を抜いたスペースを利用してスライド板１を規定回数スライドさせることによって、移動条件が揃った時にスライド板１の上を駒８が移動する
【図面の簡単な説明】
【００１０】
【図１】本発明の正面図である。
【図２】本発明の背面図である。
【図３】本発明の断面図である。
【図４】本発明の用具である駒の斜視図である。
【符号の説明】
【００１１】１    スライド板
２    抜き板
３    額縁
４    写真スペース
５    底板
６    プラスチック板
７    溝
８    駒
【図１】
2008061999.tif 000003
【図２】
2008061999.tif 000004
【図３】
2008061999.tif 000005
【図４】
2008061999.tif 000006
(57)【要約】【課題】  比較的楽なあぐらで座る場合でも、脚部にかかる負担を軽減して痺れ等を抑制することを課題とする。【解決手段】  畳床と、この畳床を覆って設けられた畳表とを備えた座布団であって、その幅をＷ、奥行きをＤ、および、厚みをＨとした場合、Ｗ＝４００ｍｍ〜５００ｍｍ、Ｄ＝３００ｍｍ〜４００ｍｍ、Ｈ＝６０ｍｍ〜７０ｍｍとし、前記畳床を難変形材料によって形成したことを特徴とする。【選択図】図１
2008061922.tif 000002
【特許請求の範囲】
【請求項１】
畳床と、この畳床を覆って設けられた畳表とを備えた座布団であって、その幅をＷ、奥行きをＤ、および、厚みをＨとした場合、Ｗ＝４００ｍｍ〜５００ｍｍ、Ｄ＝３００ｍｍ〜４００ｍｍ、Ｈ＝６０ｍｍ〜７０ｍｍとし、前記畳床を難変形材料によって形成したことを特徴とする座布団。
【請求項２】
前記難変形材料が発泡スチロールであることを特徴とする請求項１に記載の座布団。
【発明の詳細な説明】
【技術分野】
【０００１】
本発明は、床や畳の上で使用される座布団に係わり、特に、足をあぐらに組んで座った場合に、足にかかる負担を軽減する座布団に関するものである。
【背景技術】
【０００２】
一般に用いられている座布団は、座った姿勢を安定させために、座る人の体重を利用して座る人の体に沿うように変形し、下半身を支持するようにしたものが殆どである（特許文献１参照）。
【０００３】
【特許文献１】特開２００５−２３０１３４号公報
【発明の開示】
【発明が解決しようとする課題】
【０００４】
本願出願人は、前述した特許文献１に記載の技術において残されている次のような課題を解決せんとするものである。
座る姿勢として正座やあぐらがあるが、比較的楽なあぐらで座る場合でも体重が足のくるぶし周辺とお尻によって支えられることとなり、この結果、脚部にかなりの負担がかかって、同じ姿勢が長く続くと痺れの原因となる。
【０００５】
このために、座布団をお尻の部分だけに敷いて、足のくるぶし部分を座布団の前方に位置させるようにして座り、脚部への負担を軽くして痺れを抑制する工夫をしているが、このような工夫をしても、従来の座布では、体重によって変形してお尻の部分が徐々に沈み込んでしまうことにより、結局、脚部への負担が増加してまう。
【課題を解決するための手段】
【０００６】
本発明は前述した課題を解決せんとしてなされたもので、請求項１に記載の座布団は、畳床と、この畳床を覆って設けられた畳表とを備えた座布団であって、その幅をＷ、奥行きをＤ、および、厚みをＨとした場合、Ｗ＝４００ｍｍ〜５００ｍｍ、Ｄ＝３００ｍｍ〜４００ｍｍ、Ｈ＝６０ｍｍ〜７０ｍｍとし、前記畳床を難変形材料によって形成したことを特徴とする。
また、本発明の請求項２に記載の座布団は、請求項１に記載の前記難変形材料が発泡スチロールであることを特徴とする。
【発明の効果】
【０００７】
本発明の請求項１に記載の座布団によれば、その幅をＷ、奥行きをＤ、および、厚みをＨとした場合、Ｗ＝４００ｍｍ〜５００ｍｍ、Ｄ＝３００ｍｍ〜４００ｍｍとして、あぐらで座る場合において、座布団の広さをお尻だけが載る大きさとした。
これによって、この座布団を使用してあぐらで座ろうとすると、自然に脚のくるぶし周辺が座布団の前方に位置させられる。
【０００８】
そして、Ｈ＝６０ｍｍ〜７０ｍｍとしたことにより、お尻と床や畳との間に、丁度足の幅に近い隙間を形成することができ、これによって、座る人の体重の殆どをお尻の部分に集中させることができる。
その分、脚の部分特に畳や床に接するくるぶし周辺へ体重がかかることを抑制することができるとともに、ふくらはぎや太股あたりへの負担を軽減することができる。
この結果、足の痺れといった不具合を抑制することができる。
【０００９】
さらに、畳床を難変形材料によって形成することにより、お尻部分の沈み込みを抑制するとともに、脚部分への負担増加を抑制して、前述した足の痺れといった不具合の発生を効果的に抑制することができる。
特に、前記難変形材料を発泡スチロールとすることにより、前述した種々の作用を実現しつつ座布団の軽量化を図ることができる。
【発明を実施するための最良の形態】
【００１０】
以下、本発明の一実施形態について図面を参照して説明する。
図１（ａ）および（ｂ）中、符号１は本実施形態に係わる座布団を示し、畳床２と、この畳床２を覆って設けられた畳表３とを備えた座布団であって、その幅をＷ、奥行きをＤ、および、厚みをＨとした場合、Ｗ＝４００ｍｍ〜５００ｍｍ、Ｄ＝３００ｍｍ〜４００ｍｍ、Ｈ＝６０ｍｍ〜７０ｍｍとし、前記畳床２を難変形材料によって形成したことを特徴とするものである。
【００１１】
そして、奥行き方向に沿った両側縁部は、畳縁４によって固定されているとともに飾り付けが施されている。
【００１２】
さらに詳述すれば、前記幅Ｗ、奥行きＤ、および、厚みＨの範囲は、日本人の体格を考慮して設定したものであるが、平均的にみると、それぞれ、Ｗ＝約４７０ｍｍ、Ｄ＝約３７０ｍｍ、Ｈ＝約６０ｍｍとすることが好ましい。
【００１３】
また、前記畳床２に用いられる前記難変形材料としては、一般の畳に用いられている材料のほかに発泡スチロールを用いることができ、この発泡スチロールを用いることによって、座布団１自体の軽量化を図ることができるとともに、吸水性をなくして畳床２の品質の劣化を抑制することができる。
【００１４】
そして、前記畳表３は、い草や合成樹脂繊維を編み込んだシートを用いることにより、柔らかな感触が得られるようになっている。
【００１５】
ついで、このように構成された本実施形態の座布団１の作用効果について、その使用方法とともに説明する。
【００１６】
使用者Ｍは、座布団１にお尻の部分のみを載せてあぐらを組む。
このとき、前記座布団１は、その幅Ｗおよび奥行きＤが使用者Ｍのお尻が載る程度の大きさに設定されていることから、使用者Ｍは、図２の示すように、自然にその大腿部からの下半身を座布団１の前方において組むこととなる。
【００１７】
この状態において、使用者Ｍの体重は、その殆どがお尻を介して座布団１に支持されるとともに、この座布団１の厚みＨによって、お尻が、その前方において組まれた脚部の足Ｆの分高く保持され、足Ｆを含めた脚部へかかる体重が軽減される。
この結果、脚部への負担が大幅に軽減されることとなり、脚部の痺れ等の発生が抑制される。
【００１８】
しかも、座布団１の畳床２が難変形材料によって形成されていることにより、時間の経過による座布団１の圧縮変形が極めて少なく、したがって、お尻部分の沈み込みが殆どないことから、このお尻の沈み込みによる脚部への体重移動が抑制され、前述した痺れ等の抑制効果が長時間維持される。
【図面の簡単な説明】
【００１９】
【図１】本発明の一実施形態を示すもので、（ａ）は平面図、（ｂ）は側面図である。
【図２】本発明の一実施形態の使用状態を示す側面図である。
【符号の説明】
【００２０】
１  座布団
２  畳床
３  畳表
４  畳縁
Ｄ  奥行き
Ｆ  足
Ｈ  厚み
Ｍ  使用者
Ｗ  幅
【図１】
2008061922.tif 000003
【図２】
2008061922.tif 000004
(57)【要約】      （修正有）【課題】岩塩のミネナルとトルマリン鉱石・黒曜石のマイナスイオン及び遠赤外線により、体内の血液循環を良くしミネナル成分が肌に触れる事により、健康と美容に役立つミネラル・イオン水生成装置を提供する。【解決手段】直径１５ｃｍのパイプ長さ４０ｃｍのパイプ１２に特殊水中ポンプ２を取り付け、温水を矢印方向９から吸い込み、岩塩８を溶かし、黒曜石７に温熱湯で摩擦を加え、トルマリン鉱石５に摩擦を加えて、和田峠産黒曜石を利用した特殊黒曜石イオンポール３に摩擦を与える事により、ミネナルとマイナスイオン・遠赤外線・身体に良い電磁波等を含まれた温熱湯となってイオン送湯管１８から送湯され、湯壷の湯と混合出来る。【選択図】図１
2008061977.tif 000002
【特許請求の範囲】
【請求項１】
湯風呂の中に、岩塩（ミネナル成分の含まれた岩塩）とマイナスイオン発生生成材鉱石を湯壷の湯で循環しながら、人体に必要な岩塩ミネナル・マイナスイオン・遠赤外線を発生させる方法。
一例、岩塩とトルマリン鉱石・黒曜石・麦飯石・北投石・ラジウム・その他のイオン発生生成材鉱石に今回開発した装置にセットして湯壷の中に置き小型水中ポンプを稼動する事により健康及び、美肌に良いイオンとミネナルが多量に発生出来る装置である。
【請求項２】
円筒又は他の容器に小型水中ポンプを取り付け容器の中に（請求項１）岩塩・鉱石等を設置し、小型水中ポンプの力で（図１）矢印の方向に、お湯が吸い込まれ岩塩が溶けてミネナルが発生し、鉱石に、温湯の力でイオン湯となる、そのイオン湯を水中ポンプで容器の筒から矢印の方向に吹き出る事により湯壷の湯と混合する循環装置である。
【請求項３】
長野県和田峠産の黒曜石を永年研究した結果、黒曜石イオンボールを開発し他には無いマイナスイオン又、人体に良い成分が出来たのです。
秋田県の多摩川温泉以上のイオンが開発されたのです、黒曜石イオンボールから出るマイナスイオンは１ボール（Φ１０ｍｍ）当り２７００個１ＣＣ（株式会社佐藤商事形式ＣＯＭ−３０１０ＰＲＯ使用）の測定が出ています。
【発明の詳細な説明】
【技術分野】
【０００１】  本発明は湯壷の中でお湯を循環しながら、（岩塩ミネナル・トルマリン鉱石・黒曜石・麦飯石・北投石・等の鉱石マイナスイオン生成材等）を容器に投入し、小型水中ポンプの吸い込みと吹き出しを応用し太いパイプの中に細いパイプを設置する、湯を循環して岩塩ミネナル・遠赤外線・電磁波等で抗菌作用・マイナスイオン湯を生成し身体に良い混合湯が出来る装置である。
【背景技術】
【０００２】  近年、トルマリン鉱石、黒曜石、ラジウム鉱石、麦飯石、北投石、等のマイナスイオン、遠赤外線を発生する物質（マイナスイオン、遠赤外線生成材）を用いる種々の装置が開発されているが鉱石の量が小量でお湯圧力が無い為、湯壷の中に置くだけではイオンの発生が不可能である。
【発明の開示】
【発明が解決しようとする課題】
【０００３】  本発明はこのような従来の問題点に着目してなされたものであり、一般の湯壷又は・ホテルの湯壷でイオン発生装置を持ち得る事により、岩塩のミネナル効果と鉱石特有のイオン健康と美肌、及び身体の老廃物を多量の発汗により解毒出来る装置である。
【課題を解決するための手段】
【０００４】  上記目的を達成するために、本発明により塩素の含まれた水道水、又人体に与える有害水等を自動的にマイナスイオン・遠赤外線・を発生させて身体に良い水に変える事が出来る装置を永年の研究と実験で実証が出来た。マイナスイオントルマリン風呂・サウナ・岩盤浴関係等の温水を自動的に多量に作成が出来温熱効果の良い温水風呂が出来る装置である。【０００５】  私共の体験から装置の説明は下記の通りです。
直径１５ｃｍのパイプ長さ４０ｃｍのパイプに、（図１）特殊水中ポンプ（充電式バッテリー）又は家庭用電源をバイプに取り付け、温水を９の矢印方向から吸い込み、８岩塩を溶かし、７黒曜石に温熱湯で摩擦を加え・５トルマリン鉱石に摩擦を加えて、３和田峠産黒曜石を利用した特殊黒曜石イオンポールに摩擦を与える事により、ミネナルとマイナスイオン・遠赤外線・身体に良い電磁波等を含まれた温熱湯となって、１８から湯壷の湯と混合出来る装置。
【発明の効果】
【００６】  トルマリン鉱石は人体に効能効果がある薬石として世間で数多くの方法で使用されている鉱石である。特にトルマリン鉱石を飲料水に多く使用されている。【００７】黒曜石は昔から健康水として黒曜石を色々な方法で加工されて使用している。【００８】岩塩は昔から健康摩擦療法に使用されている。
【発明を実施するための最良の形態】
【００９】  使用する黒曜石は産地として有名な長野県和田峠産であり、その成分含有率の一例を表１に示す。
【表１】
2008061977.tif 000003
【表２】
2008061977.tif 000004
2008061977.tif 000005
【図面の簡単な説明】
【図１】横型  断面図。
【図２】特殊小型水中ポンプ。
【図３】縦型  断面図。
【符号の説明】
１．  水中ポンプスイッチ。
２．  小型特殊水中ポンプ。
３．  長野県和田峠産特殊  黒曜石イオンボール。
４．  境アミ盤板。
５．  トルマリン鉱石。
６．  移動つりバンド装置。
７．  黒曜石。
８．  ミネナル発生岩塩。
９．  お湯の循環  矢印。
１０．湯の吸い込み口。
１１．蓋（キャップ）
１２．中心パイプ。
１３．水中ポンプ  充電式電池交換取り付け口。
１４．取り付けネジ。
１５．架台。
１６．水中ポンプ吸い込み口。
１７．水中ポンプ回転（プロペラ）。
１８．イオン送湯管。
１９．イオン湯の噴出し口。
２０．電気配線
【図１】
2008061977.tif 000006
【図２】
2008061977.tif 000007
【図３】
2008061977.tif 000008
(57)【要約】【課題】アルミシート上に錠剤を１錠づつセットし、その上にプラスティックシートを貼り合わせた薬剤の包装体で、患者が必要としている薬剤の情報をできるだけ多く包装体に表示し、患者がその薬剤を飲用しようとするときに、包装体をはがしても、表示されている情報が失われてしまうことがないような薬剤の包装体を提供する。【解決手段】薬剤の包装体の耳の部分の幅を広くし、その耳の部分に薬剤名、効能、服用法、副作用、メーカー名などを表示するようにし、耳の部分に表示した情報が失われてしまうことがないように、耳の部分の直下のミシン目をなくし、また、薬剤の包装体の裏面に白色の薄いビニールシートを貼り、このビニールシートに薬剤名、効能、服用法、副作用、メーカー名などの情報を表示するようにした。【選択図】図１
2008061976.tif 000002
【特許請求の範囲】
【請求項１】
アルミシート上に錠剤を１錠づつセットし、その上にプラスティックシートを貼り合わせた薬剤の包装体で、薬剤の包装体の耳の部分に、収納されている薬剤の薬剤名、効能、服用方法、副作用など、薬剤の詳しい情報を表示した、薬剤の包装体。
【請求項２】
薬剤の包装体の、包装部分と耳の部分の間にミシン目を入れない、請求項１に記載の薬剤の包装体。
【請求項３】
薬剤の包装体の耳の部分に表示しきれない複雑な情報を、耳の裏の部分に表示した、請求項１に記載の薬剤の包装体。
【請求項４】
薬剤の包装体の裏面の薬剤収納部のアルミシート上に、１個の薬剤に対し１枚の割合でビニールシートを貼り、そのビニールシートに、収納している薬剤の薬剤名、効能、服用方法、副作用、などを表示した、請求項１に記載の薬剤の包装体。
【発明の詳細な説明】
【技術分野】
【０００１】本発明は、薬剤の包装体に表示する薬剤の情報に関するものである。
【背景技術】
【０００２】薬剤には、錠剤、粉薬などの種類があり、錠剤では、アルミシート上に錠剤を１錠づつセットし、その上にプラスティックシートを貼り合わせた包装体（以降「ＰＴＰシート」と称する）が使用されていた。ＰＴＰシートには、薬剤の商品名、１錠当たりの容量、などがＰＴＰシートの表裏に表示されており、ＰＴＰシートの耳の部分にも、同様の情報が表示されていた。
【発明の開示】
【発明が解決しようとする課題】
【０００３】
【０００４】しかしながら、ＰＴＰシートの表示スペースの関係から、表示できる薬剤の情報には限度があり、またＰＴＰシートから薬剤を取り出すときに、ＰＴＰシートをはがすため、表示されている情報が失われてしまうことがあった。そのため、患者がその薬剤を飲用しようとするときに、正しい薬剤名や服用法が読み取れずに、誤って飲用されてしまう危険性があった。【０００５】本発明は、患者が必要としている薬剤の情報をできるだけ多くＰＴＰシートに表示し、患者がその薬剤を飲用しようとするときに、ＰＴＰシートをはがしても、表示されている情報が失われてしまうことがないようなＰＴＰシートを提供することを、目的としている。
【課題を解決するための手段】
【０００６】上記課題を解決するために、本発明では、ＰＴＰシートの耳の部分の幅を広くし、その耳の部分に薬剤名、効能、服用法、副作用、メーカー名などを表示するようにし、耳の部分に表示した情報が失われてしまわないように、耳の部分の直下のミシン目をなくした。
また、ＰＴＰシートの裏面に白色の薄いビニールシートを貼り、このビニールシートに薬剤名、効能、服用法、副作用、メーカー名などの情報を表示するようにした。
【発明の効果】
【０００７】本発明のＰＴＰシートは上記のような構造となっているため、患者がＰＴＰシートに入った薬剤を飲用するときに、ＰＴＰシートの裏面の情報を読み、理解してから、ビニールシートをはがして、薬剤を服用できる。
また、耳の部分の直下のミシン目がないため、耳の部分が取れてしまって、その薬剤の薬剤名、効能、服用法、副作用、メーカー名などが分からなくなることがなくなる。
【発明を実施するための最良の形態】
【０００８】本発明を図面に従って説明すると、図１はＰＴＰシートの表面である。大きくした耳１の部分には、収納している薬剤の薬剤名、効能、服用方法、副作用、などを表示する。【０００９】薬剤名４には収納している薬剤の商品名を表示する。効能５には収納している薬剤が血圧を下げる薬なら「降圧剤」、アレルギーを抑える薬なら「抗アレルキー剤」など、収納している薬剤が何の薬なのかを表示する。
服用方法６には「１日２回」、「朝昼晩１錠づつ」など、収納している薬剤を服用する方法を表示する。副作用７には「眠気」、「便秘」など、収納している薬剤を飲用したときに副作用があるものは、その内容を簡単に表示する。【００１０】副作用など、表示する内容が多く複雑で、ＰＴＰシートの表面の耳の部分に書ききれない場合は、ＰＴＰシートの裏面の耳の部分に書くとよい。【００１１】また、ＰＴＰシートの裏面の薬剤収納部のアルミシート上に、１個の薬剤に対し１枚の割合でビニールシートを貼り、そのビニールシートに、収納している薬剤の薬剤名、効能、服用方法、副作用、などを表示するようにしてもよい。【００１２】この方法にすると、患者が薬剤を飲用するときに、ビニールシートの情報を読み理解してから、ビニールシートをはがして薬剤を服用することができるため、薬剤の誤飲などを防ぐことができる。
【図面の簡単な説明】
【００１３】
【図１】ＰＴＰシート表面
【図２】ＰＴＰシート裏面
【符号の説明】
【００１４】  １  耳
２  薬剤収納部
３  ミシン目
４  薬剤名
５  効能
６  服用方法
７  副作用
８  ビニールシート
【図１】
2008061976.tif 000003
【図２】
2008061976.tif 000004
(57)【要約】【目的】  火葬場に於いて火葬した遺骨、愛玩動物骨は、一般的に骨壷に収納される。残った残骨、残粉を遺族の承認を得た葬儀者又は類似業者の権利を有する者か、これを集積保管し、法名等を記入した位牌を作成し、再度遺族に進呈する残骨の回収方法である。【構成】  火葬された遺骨又は愛玩動物骨は、一応、骨壷に収納されるが、焼却され残った残骨、残粉を集合し、この残骨、残粉の収集する葬儀者又は類似作業者は、遺族より承認を得た権利者が責任を持って受理する。この責任ある権利者は、その後、表面に法名及び裏面に俗名等を記載した位牌を遺族に進呈すると共に、供養地に於いて埋葬し、管理、供養することを特徴とする。【特許請求の範囲】
【請求項１】
火葬された遺骨又は愛玩動物骨は、各種の骨壷に収納し、焼却された残骨、残粉を集合せしめ、該残骨、残粉を各種の容器又は袋物等に収集し、該残骨、残粉の収集は、遺族の承認を得た葬儀者もしくは類似作業をする権利者が受理し、表面に法名、裏面に俗名、生年月日、享年月日を記載して権利を有する場所に輸送し、権利を有する者は、それを受理した後に、表面に法名、裏面に遺影、俗名、生年月日、享年月日を記入した位牌を作成して遺族に進呈し、該残骨、残粉は該権利者が責任を持って受理し、供養地に於いて埋葬、管理及び供養することを特徴とした火葬した遺骨、愛玩動物骨の残骨、残粉の回収方法。
【発明の詳細な説明】
【技術分野】
【０００１】  火葬場に於いて火葬した遺骨又は、愛玩動物の骨は、骨壷等に入れ、保存されるものであるが、本発明は、その火葬した時に残った残骨及び残粉を安全確実に保存供養する火葬した遺骨、愛玩動物骨の残骨、残粉の回収方法に関するものである。
【背景技術】
【０００２】  従来この種の火葬による残骨や残粉が多量になると、業者が定期的に回収作業をするのが一般であり、業者は回収した残骨、残粉を自己所有の山林等に素掘りして埋設している現状である。
この様な回収処理では、遺族とすれば、その残骨、残粉の場所も不明な露天下に、しかも素掘り状態に放置され、風雨にさらされていることを知り得れば、遺族の心情は計り知れないものがある。
【発明の開示】
【発明が解決しようとする課題】
【０００３】  上記の如く、従来の残骨と残粉との定期的な回収処分で処理されたことは、遺族においては、供養地が明らかでなく、埋葬、管理、供養することは不可能である問題点が生ずる。
そこで、本発明によれば、予め、遺族に専任された権利の有する業者に委託することによって、責任を持って残骨及び残粉を供養地に於いて埋葬し永久に管理、供養することを目的としたものである。
【課題を解決するための手段】
【０００４】  上記目的を達成するために、本発明の残骨、残粉の回収方法においては、火葬された遺骨又は愛玩動物骨は、一応骨壷に収納されるが、焼却された残骨及び残粉等を集合し、その残骨及び残粉等を収容容器又は収納袋に収集する。この収集された残骨及び残粉は、葬儀者又は同様な作業をする者が、遺族の承認を得て実施する。この委託を受けた責任者は、表面に法名、裏面に俗名、生年月日、享年月日を明記すると共に、位牌に記入したものを作成して遺族に進呈し、責任者において、供養地に埋葬、管理、供養するものである。
【発明の効果】
【０００５】  本発明によれば、従来のように、火葬した遺骨又は愛玩動物骨の残骨、残粉を定期的に回収後、業者が適宜所有の山林に埋立処理することは、心情的に又は人道上の立場から不適応な対応であり、且つ、衛生面からも不適当である問題を、解決すると云う効果がある。そして、残骨、残粉の回収処理は、葬儀者もしくは類似作業をする者が、遺族から委託された者は、責任を持って受理し、遺族においても委託が容易にできる効果がある。また、収集された残骨、残粉にも予め表面に法名、裏面に俗名、生年月日、享年月日等も委託業者は、容易に記入した位牌を製作して遺族に進呈できる。さらに、遺族においては、委託業者によって残骨、残粉等を衛生的に管理、供養してもらえる安心感が生ずる優れた効果がある。
【発明を実施するための最良の形態】
【０００６】  上記のように、火葬された時に遺骨、動物骨は、各種の骨壷等に収められ、残骨と残粉は、遺族に委託された責任を有する業者が、それを受理し、表面に法名、裏面に俗名、生年月日、享年月日等を記入して責任者が所有し、その後、俗名等を記載した位牌を作成して遺族に進呈する。且つ責任業者は供養地において、残骨、残粉を衛生的に供養して管理作業をするものである。
【実施例】
【０００７】  火葬場に於いて、火葬された遺骨又は愛玩動物骨は、各々各種の骨壷に収納される。残った残骨、残粉は、１ヶ所に集合される。この集合された残骨、残粉は、一応各種の容器又は袋物等に収集する。該残骨、残粉の収集作業は、遺族の承認を得た葬儀者もしくは、葬儀に当たる類似関係者が責任を持って受理する。従って、遺族の方々は、安心して依頼できる。
また、遺族より承認された葬儀者又は関係業者は、責任を持って受理し、俗名、生年月日、享年月日を間違いなく記帳して供養場所に輸送する。その後、委託された権利者は、表面に法名を記載し、裏面に遺影、俗名、生年月日、享年月日を記入した位牌を作成して遺族に進呈すると共に、供養場所に責任を以って埋葬し、残骨、残粉等を人道上の立場から衛生的に管理、供養することを目的とする。
(57)【要約】【課題】本発明は、タンスや机などの引出し型収納庫を利用した衣類、書類等の収納を、円滑にするための板体である。通常は、引出し内の収納物を増やすと、引出し出入口から収納物がはみ出さないように注意を要するため、収納物のはみ出しを手軽に防ぐことができる収納補助具である板体を提供する。【解決手段】板体の一端に天板部を設け、その天板部の片面に、天板部を自由に折り曲げ可能となる様な一定間隔の溝を設ける。板体を引出し内面に沿うように折り曲げた際、天板部を上部から押さえる天板押さえ部を設ける。天板押さえ部と天板部は開閉可能となる様、各端縁部にマジックテープ、マグネット、または鍵ホックを設ける。【選択図】図４
2008061980.tif 000002
【特許請求の範囲】
【請求項１】
板体が引出し内面に沿うように折り曲げることができ、引出し内の収納物を上部より圧迫する天板部の片面に一定間隔の溝を設け、その天板部を上部より押さえる天板押さえ部を設けた収納補助具。
【請求項２】
天板押さえ部と天板部との接続部がマジックテープにより開閉可能な請求項１の収納補助具。
【請求項３】
天板押さえ部と天板部との接続部がマグネットにより開閉可能な請求項１の収納補助具。
【請求項４】
天板押さえ部と天板部との接続部が鍵ホックにより開閉可能な請求項１の収納補助具。
【発明の詳細な説明】
【技術分野】
【０００１】  本発明は、タンスや机など引出し型収納庫への収納を補助するための器具であって、収納庫開閉時の収納物の外部へのはみ出しや、収納物の引っ掛かりによる開口不能を防止する器具に関するものである。
【背景技術】
【０００２】  従来、タンスや机の引出し型収納庫に衣類や書類等を収納・保管することがなされている。
【発明の開示】
【発明が解決しようとする課題】
【０００３】  引出し型収納庫に収納する際、衣類や書類等の収納物が、収納時に引出し開口部から外部にはみ出し、挟み込んでしまうことがあった。また、引出しを引き出す際に、収納物が引出し天上部に引っ掛かり、引出しを引き出すことが困難となることがあった。
本発明は、以上の問題点を解決し、引出しの開閉を円滑に行うことができるようにしたものである。
【課題を解決するための手段】
【０００４】    板体の一端に天板部を設け、天板部の片面に、自由に折り曲げ可能となる様な一定間隔の溝を設ける。板体を引出し内面に沿って折り曲げた際、天板部を上部から押さえる天板押さえ部を設ける。天板押さえ部と天板部は開閉可能となる様、各端縁部にマジックテープ、マグネット、または鍵ホックを設ける。
本発明は、以上の構成よりなる引出し型収納庫への収納を補助するものである。
【発明の効果】
【０００５】  本発明を使用することによって、引出し型収納庫内の収納物を一定枠内に押さえつけることができるので、引出しの開閉を円滑に行うことが可能となる。
【発明を実施するための最良の形態】
【０００６】  以下、本発明の実施の形態を説明する。
（イ）段ボール紙やプラスティックなどの素材からなる板体（１）の一端に、天板部（２）を設け、天板部（２）の片面（面Ａ）に、一定の間隔で切り込みまたは凹凸からなる溝（３）を設ける。
（ロ）板体（１）の天板部（２）の反対端に、繰り返し折り曲げ可能な天板押さえ部（４）を設ける。
（ハ）天板押さえ部（４）の片面（面Ａ）の端の縁部に、マジックテープ（５）、マグネット（６）、または鍵ホック（７）を設ける。
（ニ）板体（１）の天板部（２）の溝（３）を設けていない面（面Ｂ）の端の縁部に、マジックテープ（５）、金属板（８）、または鍵ホック受け（９）を設ける。
（ホ）板体（１）の前面（１０）の外側の面（面Ｂ）にポケット（１３）を設ける。
本発明は、以上の構成よりなる
本発明を使用する場合は、板体（１）を前面部（１０）、底面部（１１）、奥面部（１２）、天板部（２）となる様、引出し（１４）内部に沿うように折り曲げる。この時、板体（１）に溝（３）を設けてあることによって、天板部（２）を自由に巻くことができるため、引出し（１４）を全部引き出すことなく収納物（１６）を取り出すことができる。また、ポケット（１３）は、防虫剤、乾燥剤等を使用する際の収納場所である。
【図面の簡単な説明】
【０００７】
【図１】本発明の斜視図（面Ａ）
【図２】本発明の斜視図（面Ｂ）
【図３】本発明の使用状態の斜視図
【図４】本発明の使用状態の断面図（収納時）
【図５】本発明の使用状態の断面図（使用時）
【図６】本発明の要部拡大の断面図
【図７】本発明の要部拡大の断面図
【図８】本発明の要部拡大の断面図
【符号の説明】
【０００８】（１）板体、（２）天板部、（３）溝、（４）天板押さえ部、（５）接着部、（６）前面部、（７）底面部、（８）奥面部、（９）マジックテープ、（１０）マグネット、（１１）鍵ホック、（１２）金属板、（１３）鍵ホック受け、（１４）ポケット、（１５）（引出し）、（１６）（タンス）、（１７）（収納物）
【図１】
2008061980.tif 000003
【図２】
2008061980.tif 000004
【図３】
2008061980.tif 000005
【図４】
2008061980.tif 000006
【図５】
2008061980.tif 000007
【図６】
2008061980.tif 000008
【図７】
2008061980.tif 000009
【図８】
2008061980.tif 000010